(57)【要約】      （修正有）【課題】湾曲ディスプレイに浮きや気泡がなく貼り付けることができる湾曲形状の湾曲対応衝撃吸収フィルムを提供する。【解決手段】湾曲対応衝撃吸収フィルムは、透明プラスチック層２と透明プラスチック層４とで、挟み込んだ衝撃吸収層３を熱プレス加工により湾曲形状に変化させることを特徴とする。【選択図】図３
2016130557.tif 000002
【特許請求の範囲】
【請求項１】
衝撃吸収フィルムにプレス加工をすることで湾曲形状にする事を特徴とする湾曲対応衝撃吸収フィルム
【請求項２】
請求項１に記載の湾曲対応衝撃吸収フィルムにおいて、
透明プラスチック層で衝撃吸収層を挟み込む事を特徴とする湾曲対応衝撃吸収フィルム。
【請求項３】
請求項２に記載の衝撃吸収フィルムにおいて、
上記透明プラスチック層に粘着層を備えていることを特徴とする衝撃吸収フィルム。
【請求項４】
請求項１から３のいずれか１つに記載の衝撃吸収フィルムにおいて、
上記透明プラスチック層に透明保護層を、更に備えていることを特徴とする衝撃吸収フィルム。
【発明の詳細な説明】
【技術分野】
【０００１】
本発明は、湾曲対応衝撃吸収フィルムに関する。
【背景技術】
【０００２】
従来、衝撃吸収フィルムとしては、例えば、特開２０１１−１４５６８３号公報（特許文献１）に記載されたものがある。この衝撃吸収フィルムは、ウレタン系アクリレート化合物等からなる衝撃吸収透明粘着材層と、この衝撃吸収透明粘着材層上に積層された保護機能層と、を備えている。また液晶保護フィルムの用途として平面の液晶に対して汚れや傷からの保護機能を備えている。
【先行技術文献】
【特許文献】
【０００３】
【特許文献１】特開２０１１−１４５６８３号公報
【発明の概要】
【発明が解決しようとする課題】
【０００４】
近年のスマートフォンやタブレット端末等の携帯端末の高性能化に伴い、携帯端末の価格や修理費用は高価なものになってきている。そのため、多くの携帯端末ユーザは、自身の携帯端末を外部衝撃から保護するために、ケースや保護フィルム等を使用している。さらに、液晶ディスプレイ等がデザイン性を高めるために従来のフラットディスプレイから湾曲ディスプレイへと変更する事が増えており湾曲面迄を保護するフィルムを求められている。
【０００５】
しかし、上記従来液晶保護フィルムでは、湾曲面を避けた形にするため十分に保護する事ができない。または湾曲面まで覆う形にした場合は液晶保護フィルムが湾曲面に追従する事ができず浮き上がり気泡が入る原因となる。
【０００６】
そこで、本発明の課題は液晶保護フィルムを湾曲面まで覆う形にしても浮き上がり気泡が入らない衝撃吸収フィルムを提供することにある。
【課題を解決するための手段】
【０００７】
上記課題を解決するため、本発明の湾曲対応衝撃吸収フィルムは、湾曲形状をした金型でフィルムにプレス加工をかけてフィルムを湾曲形状に合わせて曲げる事を特徴とする。
【０００８】
ここで、「プレス加工」とは熱をかけて圧力をかけることを言う。
【０００９】
また、本発明は、次の構成を任意に組み合わせて採用するのが好ましい。
【００１０】
（A）透明プラスチック層１面、２面と衝撃吸収層１面と粘着層１面を有している。
【００１１】
（B）透明プラスチック層１面と２面の間に衝撃吸収層を挟み込む
【００１２】
（Ｃ）上記（B）において透明プラスチック層２面に粘着層１面をそなえている。
【００１３】
（Ｄ）上記（B）において透明プラスチック層１面に透明保護層を備えている。
【発明の効果】
【００１４】
本発明の湾曲対応衝撃吸収フィルムによれば、フィルムをプレス加工で湾曲形状にすることで湾曲形状の液晶ディスプレイに浮き上がりがなく、さらに気泡がなく貼り付ける事ができる。
【００１５】
上記（B）によれば、透明プラスチック層で衝撃吸収層を挟み込むことでプレス加工の際に曲げを安定させることができる。
【００１６】
上記構成（Ｃ）によれば、粘着層によって、湾曲対応衝撃吸収フィルムをディスプレイ等に容易に取り付けることができる。
【００１７】
上記構成（Ｄ）によれば、透明保護層にハードコート加工あるいは反射防止加工等の処理を行うことができるので、湾曲対応衝撃吸収フィルムの表面硬度を高めたり、湾曲対応衝撃吸収フィルムの表面の反射率を低減したりすることができる
【図面の簡単な説明】
【００１８】
【図１】図１は、本発明の一実施形態の湾曲対応衝撃吸収フィルムの概略断面図である。
【図２】図２は、上記湾曲対応衝撃吸収フィルムのプレス加工の概略断面図である。
【図３】図３は、上記湾曲対応衝撃吸収フィルムのプレス加工後の概略断面図である。
【発明を実施するための形態】
【００１９】
以下、本発明の衝撃吸収フィルムを図示の一実施形態により詳細に説明する。
【００２０】
本実施形態の湾曲対応衝撃吸収フィルム１０は、図１に示すように、透明プラスチック層２と４に衝撃吸収層３を挟み込み積層されている。さらに、湾曲対応衝撃吸収フィルム６は、透明プラスチック層２に透明保護層１が積層され透明プラスチック層４には粘着層５を備えている。透明プラスチック層２と衝撃吸収層３と透明プラスチック層４および、粘着層５とは、接着剤（図示せず）を用いて接合されている。
【００２１】
衝撃吸収層３は、可視光域で透明であり、かつ、耐衝撃性を有する、ウレタン樹脂で構成されている。
【００２２】
透明プラスチック層２，４は、可視光域で透明であるポリエチレンテレフタレート（ＰＥＴ）樹脂で構成している。
【００２３】
粘着層５は、可視光域で透明であるシリコーンゴムからなり、透明プラスチック層４と粘着層５がアクリル系接着されている。また、粘着層５は、湾曲対応衝撃吸収フィルム１０の湾曲ディスプレイ等への着脱が可能となるような接着力を有するように調整されている。
【００２４】
湾曲対応衝撃吸収フィルム１０は図２で示すように衝撃吸収フィルム６をプレス加工用鋼材の金型７、９でプレス加工をすることで透明プラスチック層２と４が形状変化し湾曲する。透明プラスチック層２と４で衝撃吸収層３を挟み込むことで形状が安定する。
【００２５】
衝撃吸収層３と透明プラスチック層２との接合に使用される接着剤としては、可視光域で透明であるアクリル系接着剤を用いることができる。このアクリル系接着剤は、５〜５０μmの厚さを有するように塗布される。
【００２６】
衝撃吸収３の厚さは、設計に応じて適宜決定することができるが、衝撃吸収層３が十分な耐衝撃性能を有するためには、一般に５０μm以上の厚さが必要である。一方で、衝撃吸収層３が厚くなり過ぎると湾曲対応衝撃吸収フィルム６全体の薄型化が困難になるため、衝撃吸収層３の厚さは、５０〜３０００μmが好ましく、５０〜１０００μmがより好ましい。
【００２７】
透明プラスチック層２、４の厚さは、設計に応じて適宜決定することができるが、２５〜５００μmが好ましく、２５〜２００μmがより好ましい。このような範囲の厚さを有する透明プラスチック層２、４を用いると、湾曲対応衝撃吸収フィルム１０の物理的強度を十分に高めることができる。
【００２８】
粘着層５の厚さは、設計に応じて適宜決定することができる。粘着層５の厚さは、１０〜２００μmが好ましく、１０〜１００μmがより好ましい。
【００２９】
（変形例）
（１）衝撃吸収層３は、ウレタン樹脂に限らず、アクリル樹脂等、高い透明性と耐衝撃性とを有する他の公知の材料で、構成できる。
【００３０】
（２）図１、３で示した透明保護層１には、ハードコート加工あるいは反射防止加工等の処理を行うことができるので、湾曲対応衝撃吸収フィルム１０の表面硬度を高めたり、湾曲対応衝撃吸収フィルム１０の表面の反射率を低減したりすることができる。
【００３１】
（３）透明プラスチック層２、４は、ＰＥＴ樹脂に限らず、ポリカーボネート（ＰＣ）樹脂またはアクリル樹脂等の、高い透明性を有する他の公知の材料で、構成できる。
【００３２】
（４）粘着層４は、シリコーンゴムに限らず、例えば、熱硬化性エラストマー（アクリル系、ウレタン系）等の、高い透明性を有する他の公知の材料で、構成できる。
【００３３】
（５）接着剤としては、アクリル系接着剤に限らず、ゴム系、シリコン系、ウレタン系等の、公知の接着剤を、用いることができる。また、必要に応じて接着剤用プライマー等を用いてもよい。
【符号の説明】
【００３４】
１  透明保護層
２  透明プラスチック層
３  衝撃吸収層
４  透明プラスチック層
５  粘着層
６  湾曲前衝撃吸収フィルム
７  プレス加工用鋼材の金型
８  加工中の湾曲前衝撃吸収フィルム
９  プレス加工用鋼材の金型
１０  湾曲対応衝撃吸収フィルム
【図１】
2016130557.tif 000003
【図２】
2016130557.tif 000004
【図３】
2016130557.tif 000005